【事件の表示】
　特願２００４−１９９７８６「モニタ、及びビデオカメラとモニタ」拒絶査定不服審判事件〔平成１６年１０月　７日出願公開、特開２００４−２８２７９５〕について、次のとおり審決する。
【結　論】
　本件審判の請求は、成り立たない。
【理　由】
第一　経緯
　
１．手続
　本願は，先の出願に基づく優先権主張（優先日：平成５年３月３１日，特願平５−７４２６９号）を伴う平成６年３月３日の出願（特願平６−３３８０８号）の一部を新たな特許出願とした平成１４年１０月１日の出願（特願２００２−２８８４８５号）の一部を，さらに新たな特許出願とした平成１６年７月６日の出願である。
　平成１７年３月２２日付けで拒絶の理由が通知され，これに対し，平成１７年５月２４日付けで意見書が提出されると同時に手続補正がなされたが，平成１７年１１月２８日付けで拒絶査定がなされた。
　平成１７年１２月２７日付けで拒絶査定に対する審判請求がなされるとともに，平成１８年１月２３日付けで手続補正（明細書，特許請求の範囲又は図面について請求の日から３０日以内にする補正）がなされた。
　
２．査定
　原査定の理由は，概略，下記のとおりである。
　　　　　　　　　　　記
　出願の請求項１から請求項６に係る発明は，いずれも，その出願前日本国内において頒布された下記の刊行物に記載された発明に基いて，その出願前にその発明の属する技術の分野における通常の知識を有する者が容易に発明をすることができたものであるから，特許法第２９条第２項の規定により，特許を受けることができない。
　　　　　　　　　　　記
引用例１：特開平１−３０５７８２号公報
引用例２：特開平３−９３２０号公報
引用例３：特開平４−２００７７号公報
引用例４：特開平２−７７７６号公報
　
　
第二　補正の却下の決定
　
　平成１８年１月２３日付けの手続補正（以下「本件補正」という）について，以下のとおり決定する。
　
［結論］
　平成１８年１月２３日付けの手続補正を却下する。
　
［理由］
１．本件補正の内容
　本件補正は，下記の補正事項を含むものである。
　　　　　　　　　　　　　記（補正事項）
　請求項１から請求項６について，
「【請求項１】
　映像信号を入力するための映像入力端子と，
　該映像入力端子と外部機器の映像出力端子との接続の有無を検出する接続確認用スイッチと，
　前記映像入力端子から入力する映像信号に基づいて映像を表示する表示手段と，
　前記接続確認用スイッチによって前記映像入力端子の接続が検出されているときには，前記表示手段に映像を表示させ，前記映像入力端子の接続が検出されないときには，少なくとも前記表示手段の電源を切る電力制御手段と，
　を備えたことを特徴とするモニタ。
　
　【請求項２】
　ビデオカメラと接続されるコントロール信号用端子と，前記ビデオカメラを操作するための操作スイッチと，該操作スイッチの操作に対応したコントロール信号を前記コントロール信号用端子に出力するコントロール信号出力手段と，を備えたことを特徴とする請求項１のモニタ。
　
　【請求項３】
　前記操作スイッチの操作に対応したコントロール信号を赤外リモコン信号に変換して発光する赤外発光手段と，前記コントロール信号用端子からの入力信号に基づいて前記コントロール信号出力手段及び赤外発光手段のうちのいずれか一方を動作可能にする制御手段と，を備えたことを特徴とする請求項２のモニタ。
　
　【請求項４】
　前記操作スイッチの操作に対応したコントロール信号を赤外リモコン信号に変換して発光する赤外発光手段と，前記コントロール信号用端子の接続の有無を検出する検出手段と，該検出手段の検出信号に基づいて前記コントロール信号出力手段及び赤外発光手段のうちのいずれか一方を動作可能にする制御手段と，を備えたことを特徴とする請求項２のモニタ。
　
　【請求項５】
　映像信号を入力するための映像入力端子と，
　該映像入力端子と外部機器の映像出力端子との接続状態を検知する検知手段と，
　前記映像入力端子から入力する映像信号に基づいて映像を表示する表示手段と，
　前記検知手段によって前記映像入力端子の接続状態が検知されているときには，前記表示手段に映像を表示させ，前記映像入力端子の接続状態が検知されないときには，少なくとも前記表示手段の電源を切る電力制御手段と，
　ビデオカメラと接続されるコントロール信号用端子と，
　前記ビデオカメラを操作するための操作スイッチと，
　該操作スイッチの操作に対応したコントロール信号を前記コントロール信号用端子に出力するコントロール信号出力手段と，
　前記操作スイッチの操作に対応したコントロール信号を赤外リモコン信号に変換して発光する赤外発光手段と，
　前記コントロール信号用端子からの入力信号に基づいて前記コントロール信号出力手段及び赤外発光手段のうちのいずれか一方を動作可能にする制御手段と，
　を備えたことを特徴とするモニタ。
　
　【請求項６】
　映像信号を入力するための映像入力端子と，
　該映像入力端子と外部機器の映像出力端子との接続状態を検知する検知手段と，
　前記映像入力端子から入力する映像信号に基づいて映像を表示する表示手段と，
　前記検知手段によって前記映像入力端子の接続状態が検知されているときには，前記表示手段に映像を表示させ，前記映像入力端子の接続状態が検知されないときには，少なくとも前記表示手段の電源を切る電力制御手段と，
　ビデオカメラと接続されるコントロール信号用端子と，
　前記ビデオカメラを操作するための操作スイッチと，
　該操作スイッチの操作に対応したコントロール信号を前記コントロール信号用端子に出力するコントロール信号出力手段と，
　前記操作スイッチの操作に対応したコントロール信号を赤外リモコン信号に変換して発光する赤外発光手段と，
　前記コントロール信号用端子の接続の有無を検出する検出手段と，
　前記検出手段の検出信号に基づいて前記コントロール信号出力手段及び赤外発光手段のうちのいずれか一方を動作可能にする制御手段と，
　を備えたことを特徴とするモニタ。」（補正前）とあるのを，
　
「【請求項１】
　映像信号を入力するための映像入力端子と，
　前記映像入力端子に接続されるピンジャックの有無により該映像入力端子と外部機器の映像出力端子との接続の有無を検出する接続確認用スイッチと，
　前記映像入力端子から入力する映像信号に基づいて映像を表示する表示手段と，
　前記接続確認用スイッチによって前記映像入力端子の接続が検出されているときには，前記表示手段に映像を表示させ，前記映像入力端子の接続が検出されないときには，少なくとも前記表示手段の電源を切る電力制御手段と，
　ビデオカメラと接続されるコントロール信号用端子と，
　前記ビデオカメラを操作するための操作スイッチと，
　前記操作スイッチの操作に対応したコントロール信号を前記コントロール信号用端子に出力するコントロール信号出力手段と，
　を備えたことを特徴とするモニタ。
　
　【請求項２】
　前記操作スイッチの操作に対応したコントロール信号を赤外リモコン信号に変換して発光する赤外発光手段と，前記コントロール信号用端子からの入力信号に基づいて前記コントロール信号出力手段及び赤外発光手段のうちのいずれか一方を動作可能にする制御手段と，を備えたことを特徴とする請求項１のモニタ。
　
　【請求項３】
　前記操作スイッチの操作に対応したコントロール信号を赤外リモコン信号に変換して発光する赤外発光手段と，前記コントロール信号用端子の接続の有無を検出する検出手段と，該検出手段の検出信号に基づいて前記コントロール信号出力手段及び赤外発光手段のうちのいずれか一方を動作可能にする制御手段と，を備えたことを特徴とする請求項１のモニタ。
　
　【請求項４】
　映像信号を入力するための映像入力端子と，
　前記映像入力端子に接続されるピンジャックの有無により該映像入力端子と外部機器の映像出力端子との接続状態を検知する検知手段と，
　前記映像入力端子から入力する映像信号に基づいて映像を表示する表示手段と，
　前記検知手段によって前記映像入力端子の接続状態が検知されているときには，前記表示手段に映像を表示させ，前記映像入力端子の接続状態が検知されないときには，少なくとも前記表示手段の電源を切る電力制御手段と，
　ビデオカメラと接続されるコントロール信号用端子と，
　前記ビデオカメラを操作するための操作スイッチと，
　該操作スイッチの操作に対応したコントロール信号を前記コントロール信号用端子に出力するコントロール信号出力手段と，
　前記操作スイッチの操作に対応したコントロール信号を赤外リモコン信号に変換して発光する赤外発光手段と，
　前記コントロール信号用端子からの入力信号に基づいて前記コントロール信号出力手段及び赤外発光手段のうちのいずれか一方を動作可能にする制御手段と，
　を備えたことを特徴とするモニタ。
　
　【請求項５】
　映像信号を入力するための映像入力端子と，
　前記映像入力端子に接続されるピンジャックの有無により該映像入力端子と外部機器の映像出力端子との接続状態を検知する検知手段と，
　前記映像入力端子から入力する映像信号に基づいて映像を表示する表示手段と，
　前記検知手段によって前記映像入力端子の接続状態が検知されているときには，前記表示手段に映像を表示させ，前記映像入力端子の接続状態が検知されないときには，少なくとも前記表示手段の電源を切る電力制御手段と，
　ビデオカメラと接続されるコントロール信号用端子と，
　前記ビデオカメラを操作するための操作スイッチと，
　該操作スイッチの操作に対応したコントロール信号を前記コントロール信号用端子に出力するコントロール信号出力手段と，
　前記操作スイッチの操作に対応したコントロール信号を赤外リモコン信号に変換して発光する赤外発光手段と，
　前記コントロール信号用端子の接続の有無を検出する検出手段と，
　前記検出手段の検出信号に基づいて前記コントロール信号出力手段及び赤外発光手段のうちのいずれか一方を動作可能にする制御手段と，
　を備えたことを特徴とするモニタ。」（補正後）と補正する。
　
２．本件補正の適合性
（１）補正の範囲（平成６年改正前特許法第１７条の２第２項）
　本件補正は，願書に最初に添付した明細書，特許請求の範囲又は図面に記載した事項の範囲内においてする補正である。
　
（２）補正の目的（平成６年改正前特許法第１７条の２第３項第１号−第４号）
　本件補正は，旧請求項２を旧請求項１に繰り入れて新請求項１とし，旧請求項３ないし請求項６を，新請求項２ないし請求項５に請求項の順に請求項の番号を繰り上げ，
　旧請求項１，４，５に記載する「該映像入力端子と外部機器の映像出力端子との接続の有無を検出する」という発明特定事項に関し，「前記映像入力端子に接続されるピンジャックの有無」により行われることを更に限定して新請求項とするものであり，補正の前後において産業上の利用分野及び解決しようとする課題は同一である。
　本件補正は，特許法第１７条の２第３項第１号の請求項の削除，及び，特許法第１７条の２第３項第２号の特許請求の範囲の減縮を目的とするものに該当する。
　
（３）独立特許要件（特許法第１７条の２第５項）
　本件補正は，特許請求の範囲の減縮を目的とするものである。そこで，独立特許要件について検討する。
　
（ａ）補正後の本願発明
　本件補正後の請求項１に係る発明（以下「補正後発明」という）は，以下のとおりである（再掲）。
　　　　　　　　　　　記（補正後発明）
「映像信号を入力するための映像入力端子と，
　前記映像入力端子に接続されるピンジャックの有無により該映像入力端子と外部機器の映像出力端子との接続の有無を検出する接続確認用スイッチと，
　前記映像入力端子から入力する映像信号に基づいて映像を表示する表示手段と，
　前記接続確認用スイッチによって前記映像入力端子の接続が検出されているときには，前記表示手段に映像を表示させ，前記映像入力端子の接続が検出されないときには，少なくとも前記表示手段の電源を切る電力制御手段と，
　ビデオカメラと接続されるコントロール信号用端子と，
　前記ビデオカメラを操作するための操作スイッチと，
　前記操作スイッチの操作に対応したコントロール信号を前記コントロール信号用端子に出力するコントロール信号出力手段と，
　を備えたことを特徴とするモニタ。」
　
（ｂ）引用刊行物の記載
　原査定の拒絶の理由に引用された刊行物である特開平１−３０５７８２号公報（以下「刊行物１」という）には，図面と共に以下の事項が記載されている。
　
（ア）「そして，例えば，映像表示ブロック２の背面に映像及び／又は音声出力ブロック３を結合し，更に，映像及び／又は音声出力ブロック３の背面に電源ブロック４を結合すれば（第３図，第５図，第９図参照）テレビジョン受像機として使用することかでき，また，映像表示ブロック２の背面に電源ブロック４を結合すれば（第４図参照）ビデオカメラ，ＶＴＲ，レーザーディスク等のモニター装置として使用することができる。」（４ページ左上欄２−１０行）
　
（イ）「（ｂ．映像表示ブロック）［第１図乃至第５図，第７図，第９図］
　５は映像表示ブロック２のケースであり，正面形状で稍横長の四角形をし後面に開口した箱状をしており，前面に大きな窓６が形成されており，該窓６が透明な板７で覆われている。
　８はケース５内に前記窓６を覆うように配置された液晶表示板であり，該液晶表示板８の背面側にバックライト９が配置されている。尚，このケース５内には液晶表示板８やバックライト９の駆動回路やその他の回路及びスイッチ手段等が配置されるがこれらの詳細については後述する。
　１０，１１はケース５上面に設けられた調整ダイヤルで，１０は映像の明るさ調整用，１１は音量調整用である。
　１２，１３はケース５の右（正面に向かって。以下左右の向きを示す場合は正面に向った状態で示す。）側面の下方部に設けられたジャックであり，１２はＡ／ＶＩＮ，即ち，映像／音声信号入力用，１３はイヤホン用である。」（４ページ左上欄１１−右上欄１１行）
　
（ウ）「（ｇ−１．映像表示ブロック）［第１０図，第１１図］
（ｇ−１−ａ．回路）
　２００は映像表示ブロックの回路を示すものであり，自動電源供給回路２０１，映像回路２０２，オーディオ回路２０３から構成されている。
　自動電源供給回路２０１はコネクタ部１７又はＡ／ＶＩＮジャック１２の外部入力端子２０４を介して送られてくるビデオ信号若しくはオーディオ信号の入力又はＡ／ＶＩＮジャック１２へのプラグの接続の有無を検出し，これらの信号に応じて映像回路２０２及び／又はオーディオ回路２０３への電源電圧の供給を制御すると共に，コネクタ部１７からの信号と外部入力端子２０４カ）らの信号とが競合した場合にいずれかの信号，例えば後者からの入力信号（以下，「外部入力信号」と言う。）を優先的に選択するために設けられた回路である。」（１０ページ左下欄１７行−右下欄１６行）
　
（エ）「よって，該自動電源供給回路２０１の複数の入力端子はコネクタ部１７のオーディオＬチャンネル端子１８０，オーディオＲチャンネル端子１８２及びビデオ端子１８３に接続されると共に，外部入力端子２０４のビデオ端子２０４ａ，オーディオ端子２０４ｂ及びプラグの接続検出用接点２０４ｃに接続されている。また，その電源端子はコネクタ部１７の電源端子１８６に接続されている。そして，その出力端子は後述する映像回路２０２の電源供給部及びオーディオ回路２０３の電源端子に接続されており，これによって映像回路２０２及びオーディオ回路２０３への電源電圧の供給が制御される。
　第１１図は自動電源供給回路２０１の一例を簡略化して示すものである。
　２０１ａは入力選択回路であり，プラグが差し込まれ，外部入力端子２０４のプラグ接続検出用接点２０４Ｃからの信号を接続検出回路２０１ｂが検出するとコネクタ部１７からの入力信号ＡＬ，ＡＲ，Ｖを遮断し，外部入力信号を優先させるための回路である。
　２０１ｃは人力検出回路であり，オーディオＬチャンネル信号ＡＬ，オーディオＲチャンネル信号ＡＲ及びビデオ信号Ｖの入力等を検出するための回路であり，オーディオ信号の検出の場合には判別用のＤＣ電圧をオーディオ用端子に加えることにより行ない，ビデオ信号の場合には交流信号を直流信号に整流して検出を行なうようにされている。
　２０１ｄは電源供給制御回路であり，上記入力検出回路２０１ｃからの信号に応じて映像回路２０２及びオーディオ回路２０３への電源電圧の供給を制御するための回路である。例えばＡ／ＶＩＮジャック１２から外部入力信号が入力される場合にはそのオーディオ信号の入力を検出してオーディオ回路２０３への電源供給を行ない，またビデオ信号の入力が検出されると映像回路２０２及びオーディオ回路２０３の両者への電源供給を行なうようにされている。」（１０ページ右下欄１７行−１１ページ右上欄１５行）
　
（オ）「尚，上記した動作はあくまで一例であり，一義的に決まるものではなく，入力検出に関してもまた種々の方法を適用することができることは勿論である。」（１１ページ右下欄５−８行）
　
（ｃ）対比（対応関係）
（ｃ１）モニタ
　記載（ア）によれば，刊行物１に記載の発明は，映像表示ブロック２の背面に電源ブロック４を結合することでビデオカメラのモニター装置として使用することができるものである。
　よって，刊行物１に記載の「モニター装置」は，補正後発明の「モニタ」といえるものである。
　
（ｃ２）映像入力端子
　記載（イ），（ウ）によれば，刊行物１には，ビデオ信号を入力するためのＡ／ＶＩＮジャック１２を備えている。
　この刊行物１記載の「ビデオ信号」は，補正後発明の「映像信号」に相当するものであるから，上記刊行物１記載の「Ａ／ＶＩＮジャック１２」は，補正後発明の「映像入力端子」であるといえ，刊行物１に記載の発明は，補正後発明の「映像信号を入力するための映像入力端子」を備えるものである。
　
（ｃ３）接続確認用スイッチ
（ｃ３−１）「ピンジャック」について
　まず，補正後発明に記載する用語「ピンジャック」について検討する。
　本願明細書の００４９段落には，「図６に示すように映像入力用ＲＣＡ端子（接続確認用スイッチ５２Ｃ付）５２Ａと，…（中略）…とを有し，これらの端子５２Ａ，５２Ｂには，図７に示すようにカメラ本体１０とのワンタッチ接続が可能なマルチコネクタ５１付きの接続ケーブルのピンジャック５１Ａ，５１Ｂが接続される。」と記載されており，図６の映像入力用ＲＣＡ端子５２Ａに接続される端子であって，図７において符号５１Ａ，５１Ｂが付された凸形状の端子（通常は「ピンプラグ」と呼ばれる端子）を，補正後発明では「ピンジャック」と呼称している。
　一方，刊行物１では，外部入力端子２０４（補正後発明の「映像入力端子」に相当）には，プラグが差し込まれることが記載されている。
　ここで，一般的な技術用語でいう「プラグ」とは，『プラグ【plug】《電気》 ふつうコネクターの半分で動かすことができ，一般にケーブルや取りはずしできる部分品に取り付けられている。ジャック，アウトレット，レセプタクル，ソケットなどに插入されるもの。』（マグローヒル科学技術用語大辞典　第三版）であって，凸形状の端子のことを指すものであるから，刊行物１に記載の「プラグ」を「凸形状の端子」ということに何ら差し支えはない。
　以上のことから，刊行物１の外部入力端子（補正後発明の「映像入力端子」に相当）には，凸形状の端子，即ち，補正後発明で呼称する「ピンジャック」が接続されるものといえる。
　
（ｃ３−２）刊行物１の記載
　刊行物１の（エ）には，「２０１ａは入力選択回路であり，プラグが差し込まれ，外部入力端子２０４のプラグ接続検出用接点２０４ｃからの信号を接続検出回路２０１ｂが検出する」と記載されている。
　この「外部入力端子２０４」は，記載（ウ），第１０図から見て分かるように「Ａ／ＶＩＮジャック１２」，即ち，補正後発明でいう「映像入力端子」を構成していることは明らかである。
　そして，（ｃ３−１）に記載したように，刊行物１に記載の「プラグ」は，補正後発明でいう「ピンジャック」といえるから，刊行物１の「プラグ接続検出用接点２０４ｃ」と「接続検出回路２０１ｂ」とを合わせたものは，補正後発明でいう「映像入力端子に接続されるピンジャックの有無」を検出する「接続確認用スイッチ」に対応するものである。
　ここで，補正後発明の「ピンジャックの有無により
該映像入力端子と外部機器の映像出力端子との接続の有無を検出する
　よって，補正後発明でいう上記下線部の「該映像入力端子と外部機器の映像出力端子との接続の有無を検出する」とは，単に「映像入力端子に接続されるピンジャック」の先に「外部機器の映像出力端子」が通常存在することを想定した記載に過ぎないものと認められる。
　刊行物１の記載（ア）によれば「映像表示ブロック２の背面に電源ブロック４２を結合すれば（第４図参照）ビデオカメラ，ＶＴＲ，レーザーディスク等のモニター装置として使用することができる」ものであり，この「映像表示ブロック２の背面に電源ブロック４２を結合」してモニター装置として使用する場合には，第４図にもみられるように，プラグの先には「外部機器の映像出力端子」が存在するものである。
　以上，刊行物１において，「映像入力端子に接続されるピンジャックの有無」を検出していること，並びに，接続されるピンジャックの先に「外部機器の映像出力端子」が存在することは通常の事項であることからみて，刊行物１には「映像入力端子に接続されるプラグの有無により該映像入力端子と外部機器の映像出力端子との接続の有無を検出する接続確認用スイッチ」の存在がみられる。
　
（ｃ４）表示手段
　刊行物１に記載の映像表示ブロックは，Ａ／ＶＩＮジャック１２に入力されるビデオ信号を液晶表示板８に表示してモニターすることを可能としている。（記載（ア），（イ））
　刊行物１には，補正後発明における「映像入力端子から入力する映像信号に基づいて映像を表示する表示手段」の存在がみられる。
　
（ｃ５）電力制御手段
（ｃ５−１）刊行物１の記載（ウ）
　刊行物１の（ウ）には「自動電源供給回路２０１はコネクタ部１７又はＡ／ＶＩＮジャック１２の外部入力端子２０４を介して送られてくるビデオ信号若しくはオーディオ信号の入力又はＡ／ＶＩＮジャック１２へのプラグの接続の有無を検出し，これらの信号に応じて映像回路２０２及び／又はオーディオ回路２０３への電源電圧の供給を制御する」と記載されている。
　この記載中「又は」という表現で提示される，自動電源供給回路２０１が行う機能の複数選択肢の１つには「自動電源供給回路２０１はＡ／ＶＩＮジャック１２へのプラグの接続の有無を検出し，この信号に応じて映像回路２０２への電源電圧の供給を制御する」機能があると解釈される。
　
（ｃ５−２）刊行物１の実施例
　一方，刊行物１の（エ）には，自動電源供給回路の一例として次のものが記載されている。
　入力選択回路２０１ａは，プラグが差し込まれ，外部入力端子２０４のプラグ接続検出用接点２０４ｃからの信号を接続検出回路２０１ｂが検出するとコネクタ部１７からの入力信号ＡＬ，ＡＲ，Ｖを遮断し，外部入力信号を優先させる。
　電源供給制御回路２０１ｄは，Ａ／ＶＩＮジャック１２から外部入力信号が入力される場合にはそのビデオ信号の入力が検出されると映像回路２０２への電源供給を行うようにされている。
　以上，この実施例には，プラグの差し込みにより「コネクタ部１７からの入力信号ＡＬ，ＡＲ，Ｖを遮断し，外部入力信号を優先させる」ことが記載されているだけであって，（ｃ５−１）の記載した刊行物１の記載（ウ）に含まれる「自動電源供給回路２０１はＡ／ＶＩＮジャック１２へのプラグの接続の有無を検出し，この信号に応じて映像回路２０２への電源電圧の供給を制御する」については記載がない。
　なお，刊行物１の記載（オ）には，上記の一例に対して「上記した動作はあくまで一例であり，一義的に決まるものではなく，入力検出に関してもまた種々の方法を適用することができることは勿論である。」との記載がみられる。
　
（ｃ５−３）周知技術
　特開平３−１６６８８０号公報には「ａ）ビデオ出力用端子の接続の有無を判別する判別手段を備え，ｂ）前記判別手段により前記電源制御手段を制御することを特徴とする電子スチルカメラ」（請求項２）
　実願昭５７−８４２２２号（実開昭５８−１８７０１５号公報）のマイクロフィルムには，「ＲＦ回路の電源路をスイッチを介して主電源路に接続すると共に，ＲＦケーブルの接続状態に応じて上記スイッチが開閉される」内蔵電池で駆動されるポータブルビデオテープレコーダが記載されている。（実用新案登録請求の範囲）
　特開平５−４１０２１号公報には，「再生映像出力端子にケーブルを接続していないときには，当該再生出力系への電源供給を遮断することを特徴とする。上記手段により，外部出力する必要のないときには，上記検出手段及び上記スイッチ手段により上記再生出力系への電源供給が遮断されるので，無駄な電力消費を無くせる」ことが記載されている。（０００７，０００８段落）
　以上，本願出願前公知の３つの刊行物にみられるように，ケーブルが接続されることを当該装置の利用状態と判断して電源制御を行い，省電力化を図ることは周知の事項である。
　
（ｃ５−４）刊行物１に記載の発明
　刊行物１の実施例には，刊行物１の記載（ウ）に含まれる「自動電源供給回路２０１はＡ／ＶＩＮジャック１２へのプラグの接続の有無を検出し，この信号に応じて映像回路２０２への電源電圧の供給を制御する」機能についての具体的動作の詳細は記載されていないが，
　記載（オ）にみられるように，実施例は「あくまで一例であり，一義的に決まるものではな」いことや，ケーブルが接続されることを当該装置の利用状態と判断することで電源制御を行うことは本願出願時において周知であることからみて，刊行物１の記載（ウ）には，実質「自動電源供給回路２０１はＡ／ＶＩＮジャック１２へのプラグの接続の有無を検出し，この信号に応じて映像回路２０２への電源電圧の供給を制御する」ことが記載されていると解することに何ら支障はない。
　そして，刊行物１の記載（ウ）における「映像回路２０２への電源電圧の供給を制御する」とは，記載（エ）における「ビデオ信号の入力が検出されると映像回路２０２への電源供給を行うようにされている」ことと同様の電源制御を行うものと解することにも何ら支障はないから，刊行物１の記載（ウ）における「自動電源供給回路２０１」は「Ａ／ＶＩＮジャック１２」にプラグが接続されているときには，表示手段に映像を表示させることができるように電源を供給し，プラグが接続されていないときには，表示手段の電源を切る動作を行うものである。
　以上のことから，刊行物１には，補正後発明における「接続確認用スイッチによって前記映像入力端子の接続が検出されているときには，前記表示手段に映像を表示させ，前記映像入力端子の接続が検出されないときには，少なくとも前記表示手段の電源を切る電力制御手段」に相当する構成を備えるものといえる。
　
（ｄ）一致点・相違点
　補正後発明と刊行物１に記載された発明との一致点及び相違点は以下のとおりである。
　　　　　　　　　　　　　　　記（一致点）
「映像信号を入力するための映像入力端子と，
　前記映像入力端子に接続されるピンジャックの有無により該映像入力端子と外部機器の映像出力端子との接続の有無を検出する接続確認用スイッチと，
　前記映像入力端子から入力する映像信号に基づいて映像を表示する表示手段と，
　前記接続確認用スイッチによって前記映像入力端子の接続が検出されているときには，前記表示手段に映像を表示させ，前記映像入力端子の接続が検出されないときには，少なくとも前記表示手段の電源を切る電力制御手段と，
　を備えたことを特徴とするモニタ。」
　
　　　　　　　　　　　　　　　記（相違点）
　補正後発明では，「ビデオカメラと接続されるコントロール信号用端子」と，「前記ビデオカメラを操作するための操作スイッチ」と，「前記操作スイッチの操作に対応したコントロール信号を前記コントロール信号用端子に出力するコントロール信号出力手段」とを備えているのに対し，刊行物１には，その記載はない点。
　
（ｅ）判断
　刊行物３（特開平４−２００７７号公報）には，ビデオカメラの映像を表示する液晶モニタ，及び，早送りや巻き戻し，ランダムアクセス再生，プログラム再生などの様々な再生や，撮影モードの設定，シャッターレリーズ操作等が遠隔操作できる操作部を備えたワイヤードリモートコントローラが記載されている。
　このように，モニタ，及び，遠隔操作のための操作部の両方を備えたビデオカメラの周辺機器は公知であるから，ビデオカメラ等の周辺機器として用いられる刊行物１に記載のモニタにおいても，ビデオカメラ等の遠隔操作を可能とするべく「前記ビデオカメラを操作するための操作スイッチ」と，「前記操作スイッチの操作に対応したコントロール信号を出力するコントロール信号出力手段」を設けることは当業者であれば容易になし得る事項である。
　そして，刊行物３に記載されるように，ワイヤードリモートコントローラに付随する信号伝送ケーブルに代えて「ビデオカメラと接続されるコントロール信号用端子」を設けることは当業者であれば適宜なし得る設計的事項である。
　
（ｆ）まとめ（独立特許要件）
　以上，補正後発明は，刊行物１及び刊行物３に記載された発明に基づいて当業者が容易に発明をすることができたものであるから，特許法第２９条第２項の規定により特許出願の際独立して特許を受けることができない。
　したがって，本件補正は，特許法第１７条の２第５項において準用する同法第１２６条第５項の規定に適合しない。
　
（４）むすび（補正却下）
　以上のとおり，本件補正は，特許法第１７条の２第５項において準用する同法第１２６条第５項の規定に適合せず，特許法１５９条第１項の規定において読み替えて準用する同法第５３条第１項の規定により却下すべきものである。
　
　
第三　本願発明
　
　平成１８年１月２３日付けの補正は上記のとおり却下する。
　本願の請求項１から請求項６に係る発明は，本願明細書及び図面（平成１７年５月２４日付けの手続補正書により補正された明細書及び図面）の記載からみて，それぞれ，その特許請求の範囲の請求項１から請求項６までに記載した事項により特定されるとおりのものであるところ，そのうち，請求項２に係る発明（以下「本願発明」という）は，下記のとおりである。
　
　　　　　　　　　　　　記（本願発明）
「【請求項１】
　映像信号を入力するための映像入力端子と，
　該映像入力端子と外部機器の映像出力端子との接続の有無を検出する接続確認用スイッチと，
　前記映像入力端子から入力する映像信号に基づいて映像を表示する表示手段と，
　前記接続確認用スイッチによって前記映像入力端子の接続が検出されているときには，前記表示手段に映像を表示させ，前記映像入力端子の接続が検出されないときには，少なくとも前記表示手段の電源を切る電力制御手段と，
　を備えたことを特徴とするモニタ。
　
【請求項２】
　ビデオカメラと接続されるコントロール信号用端子と，前記ビデオカメラを操作するための操作スイッチと，該操作スイッチの操作に対応したコントロール信号を前記コントロール信号用端子に出力するコントロール信号出力手段と，を備えたことを特徴とする請求項１のモニタ。」
　
　
第四　査定の検討
１．引用刊行物の記載
　原査定の拒絶の理由に引用された刊行物１には，前記のとおりの記載がある。
　
２．対比（対応関係）
　本願発明（旧請求項２）は，補正後発明の「前記映像入力端子に接続されるピンジャックの有無により該映像入力端子と外部機器の映像出力端子との接続の有無を検出する接続確認用スイッチ」から「前記映像入力端子に接続されるピンジャックの有無により」なる限定事項を削除したものである。
　よって，本願発明と刊行物１に記載の発明の対比について，前記補正後発明と刊行物１に記載の発明との対応関係がそのまま援用できる。
　
３．一致点・相違点
　本願発明と刊行物１に記載の発明との一致点及び相違点は，下記のとおりである。
　　　　　　　　　　　　　記（一致点）
「映像信号を入力するための映像入力端子と，
　該映像入力端子と外部機器の映像出力端子との接続の有無を検出する接続確認用スイッチと，
　前記映像入力端子から入力する映像信号に基づいて映像を表示する表示手段と，
　前記接続確認用スイッチによって前記映像入力端子の接続が検出されているときには，前記表示手段に映像を表示させ，前記映像入力端子の接続が検出されないときには，少なくとも前記表示手段の電源を切る電力制御手段と，
　を備えたことを特徴とするモニタ。」
　
　　　　　　　　　　　　　記（相違点）
　本願発明では，「ビデオカメラと接続されるコントロール信号用端子」と，「前記ビデオカメラを操作するための操作スイッチ」と，「前記操作スイッチの操作に対応したコントロール信号を前記コントロール信号用端子に出力するコントロール信号出力手段」とを備えているのに対し，刊行物１には，その記載はない点。
　
４．相違点の判断等
　上記相違点は，補正後発明と刊行物１に記載の発明との相違点と同じであるところ，その判断についても，補正後発明と刊行物１に記載の発明との相違点に対する判断を援用することができるものであるから，上記相違点は，刊行物１及び刊行物３に記載の発明に基づいて当業者であれば容易になし得たものである。
　効果等について
　本願発明の効果も，刊行物１及び刊行物３の記載から予測することができる程度のものにすぎない。
　
５．まとめ（査定の検討）
　したがって，本願発明は，刊行物１及び刊行物３に記載された発明に基づいて当業者が容易に発明をすることができたものである。
　
　
第五　むすび
　
　以上，本願の請求項２に係る発明は，刊行物１及び刊行物３に記載された発明に基づいて当業者が容易に発明をすることができたものであるから，特許法第２９条第２項の規定により特許を受けることができない。
　したがって，残る請求項１，請求項３から請求項６までに係る各発明について特に検討をするまでもなく，本願は拒絶をすべきものである。
　よって，結論のとおり審決する。